【事件の表示】
　特許第３１５６８６１号「電子写真用現像剤」の請求項１ないし４に係る特許に対する特許異議の申立てについて、次のとおり決定する。
【結　論】
　訂正を認める。
　特許第３１５６８６１号の請求項１ないし４に係る特許を維持する。
【理　由】
Ｉ．手続の経緯
　本件特許第３１５６８６１号に係る発明は、平成３年１１月１２日に出願され、平成１３年２月９日にその発明の特許の設定登録がなされた。
　本件特許公報は、平成１３年４月１６日に発行され、その特許に対して、特許異議申立人　江波戸昌美より特許異議の申立があり、取消理由通知（平成１４年３月２６日付）がなされ、訂正請求（平成１４年６月４日付）がなされたものである。
II．訂正の適否についての判断
１．訂正の内容
　平成１４年６月４日付訂正請求における訂正の内容は、以下のとおりである。
ａ．特許請求の範囲
「【請求項１】 少なくとも結着樹脂と着色剤を含有するトナーと外添剤として金属を担持したｎ型半導体微粒子を含有することを特徴とする電子写真用現像剤。
【請求項２】 有機光導電体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。
【請求項３】 アモルファスシリコン感光体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。
【請求項４】 表面保護層を有する感光体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。」を
「【請求項１】 少なくとも結着樹脂と着色剤を含有するトナーと外添剤として金、銀及びプラチナから選ばれる金属を担持したｎ型半導体微粒子を含有することを特徴とする電子写真用現像剤。
【請求項２】 有機光導電体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。
【請求項３】 アモルファスシリコン感光体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。
【請求項４】 表面保護層を有する感光体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。」
と訂正する。
ｂ．明細書の第４段落
「【課題を解決するための手段】本発明によれば、 少なくとも結着樹脂と着色剤を含有するトナーと外添剤として金属を担持したｎ型半導体微粒子を含有することを特徴とする電子写真用現像剤が提供される。…」を
「【課題を解決するための手段】本発明によれば、 少なくとも結着樹脂と着色剤を含有するトナーと外添剤として金、銀及びプラチナから選ばれる金属を担持したｎ型半導体微粒子を含有することを特徴とする電子写真用現像剤が提供される。…」と訂正する。
ｃ．明細書の第５段落
「…担持される金属としては金や銀、プラチナなどが好適である。担持方法としては…光触媒法が好適である。これは、金や銀、プラチナなどの金属イオンを含む水溶液中に酸化チタンなどのｎ型半導体微粒子を分散させ、少量のアルコールを添加した後、紫外線を照射して微粒子上に金属を担持させるものである。…」を
「…担持される金属としては金や銀、プラチナである。担持方法としては…光触媒法が好適である。これは、金や銀、プラチナの金属イオンを含む水溶液中に酸化チタンなどのｎ型半導体微粒子を分散させ、少量のアルコールを添加した後、紫外線を照射して微粒子上に金属を担持させるものである。…」と訂正する。
２．訂正の目的の適否、新規事項の有無及び拡張・変更の存否
  上記訂正ａは、特許明細書の特許請求の範囲の請求項１〜４の各々の「ｎ型半導体微粒子」に担持される「金属」について、実施例及び発明の詳細な説明欄第５段落で具体的に例示されている「金、銀及びプラチナから選ばれる金属」に限定して、特許請求の範囲を減縮するものであり、
特許請求の範囲をより狭く限定するものであるから、特許法第１２０条の４第２項但し書き第１号に規定する特許請求の範囲の減縮を目的とする訂正に該当するものであって、願書に添付した明細書の範囲内の訂正であって、実質上特許請求の範囲を拡張し又は変更するものではない。
  上記訂正ｂ〜ｃは、上記訂正ａによる特許請求の範囲の減縮の訂正に伴い、特許請求の範囲と発明の詳細な説明欄の記載との不整合を正すものであるから、特許法第１２０条の４第２項但し書き第３号に規定する明瞭でない記載の釈明に該当するものであり、願書に添付した明細書の範囲内の訂正であって、実質上特許請求の範囲を拡張し又は変更するものではない。
 ３．むすび
　以上のとおりであるから、上記訂正請求は、特許法第１２０条の４第２項及び同条第３項で準用する第１２６条第２〜３項の規定に適合するので、当該訂正を認める。
III．特許異議の申立てについて
１．本件発明
　平成１４年６月４日付訂正明細書の請求項１〜４に係る発明（以下「本件発明１〜４」という）は、その特許請求の範囲の請求項１〜４に記載される以下のとおりのものである。
「【請求項１】 少なくとも結着樹脂と着色剤を含有するトナーと外添剤として金、銀及びプラチナから選ばれる金属を担持したｎ型半導体微粒子を含有することを特徴とする電子写真用現像剤。
【請求項２】 有機光導電体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。
【請求項３】 アモルファスシリコン感光体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。
【請求項４】 表面保護層を有する感光体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。」
２．特許異議申立の概要
　特許異議申立人は、
甲第１号証：特開昭５７−１５１９５２号公報
甲第２号証：特開昭６１−５９４５２号公報
甲第２号証の２：「ＳＰＥＣ　ＣＨＥＣＫ」Vol.ＩＶ、No.２、１９８９年春発行
甲第３号証：特開昭６３−１４６０４８号公報
甲第４号証：「化学大辞典２」共立出版、１９８７年２月１５日発行、
　　　　　　第１６１〜１６２頁、「オゾン」の項
甲第５号証：清野　学著「酸化チタン」技報堂出版、１９９１年６ 月２５日発行、まえがき、第６９〜７１頁、第１０１頁、第１６５頁
甲第６号証：「理化学辞典第３版」岩波書店、１９７１年５月２０日発行、
　　　　　　第１９２頁、「オゾン」の項
甲第７号証：特開昭５９−２００２５０号公報
甲第７号証の２：「電子写真学会誌」第２７巻（１９８８）第２号、第３２６頁
甲第８号証：特開昭５９−７３６９号公報
甲第９号証：特開昭６１−１２２６５３号公報
甲第１０号証：特開昭６２−２４６０７５号公報
甲第１１号証：特開昭６２−１８４４７３号公報
甲第１２号証：電子写真学会編「電子写真技術の基礎と応用」コロナ社、
　　　　　　１９８８年６月１５日発行、第３９９〜４５９頁「５．２感光体材料」の節
甲第１３号証：特開昭５８−７２９３０号公報
甲第１４号証：特開昭６３−９７２３４号公報
甲第１５号証：特開昭６３−３０５９２２号公報
甲第１６号証：特開平１−１５９０３２号公報
甲第１７号証：特開平１−２８８３２２号公報
甲第１８号証：特開平１−２８８３２１号公報
甲第１９号証：特開平２−９０９２４号公報
を提出して、本件請求項１〜４に係る発明は、それぞれ、甲第１〜３、７〜１１号証に記載された発明であり、特許法第２９条第１項第３号の規定に違反して特許されたものであるから、また、甲第１〜１９号証に記載された発明から容易に想到しえたものであり、特許法第２９条第２項の規定に違反して特許されたものであるから、特許を取り消すべきと主張している。
３．甲号各証とその内容
３−１．甲第１号証について
　甲第１号証には、
《ア》「バインダー及び磁性粉よりなるトナーにＳｎＯ２系の微粉末を外添混合したことを特徴とする磁性現像剤。」（特許請求の範囲）、
《イ》「本発明の磁性現像剤は、このような欠点を皆無にすることができたものであり、即ち本発明において外添混合するＳｎＯ２系の微粉末はトリボコントロール剤として働きあらゆる雰囲気の環境で安定化しているものと考えられる。…また本発明においてはＳｎＯ２系としてＳｎＯ２−ＴｉＯ２系、ＳｎＯ２−ＢａＳＯ４系等も含むものとする。」（第２頁右下欄第１９行〜第３頁左上欄第１９行）と記載され、
《ウ》また、実施例３では、
ポリエチレン系結着樹脂と磁性粉マグネタイトを含有するトナーと、ＳｎＯ２−ＴｉＯ２系微粉末の外添剤からなる電子写真用現像剤を調製、キャノン社製「ＮＰ−１２０」複写機で複写することが示されている。
３−２．甲第２号証について
　甲第２号証には、
《エ》「正荷電性トナー１００重量部に対し、該トナーの粒径より小さいフルオロポリマー微粉末０．０１〜１０重量部と導電性微粉末０．０１〜３重量部を該トナーに加えてなることを特徴とする電子写真用正荷電性トナー。」（特許請求の範囲）、
《オ》「〔発明が解決しようとする問題点〕本発明は、上記欠点を解するためになされたものである。すなわち本発明の目的は、クリーニング部材によるトナーの感光体表面のフィルミングを防止し、かつトナーの凝集度が高くなることと、流動性の低下を防ぎ、現像スリーブ上のトナーの塗布層を均一で、きめ細かなものとすることにより均一できめ細かな画質のコピーを得ることができる正荷電性トナーを提供することにある。
〔問題点を解決するための手段〕…導電性微粉末が存在すると、トナーの電気抵抗が見掛上低くなって電荷が適度にリークするために正の摩擦帯電電荷量が高くなりすぎることがなく、トナーの凝集度の増加、流動性の低下をもたらすことがないものと考えられる。」（第２頁右上欄第８行〜同頁右下欄第４行）、
《カ》「導電性微粉末としては酸化スズ微粉末、酸化スズとアンチモンからなる微粉末、酸化亜鉛、酸化チタン、銅、金、銀などの微粉末が使用でき、０．０１〜０．１μのものをトナー１００重量部に対して０．１〜３重量部添加するのが好ましい。」（第２頁右下欄第１６〜２０行）と記載され、
《キ》実施例１として、
スチレン樹脂結着剤と黒色磁性体の着色剤とを含有する正荷電性トナー（粒子径５〜２０μｍ）１００部に対して、酸化スズ微粒子０．６部、フッ化ビニリデン樹脂微粒子０．６重量部、シリカ微粒子０．４部をヘンシェルミキサーにて外添処理して現像剤を調製し、感光体上の静電潜像を現像剤で現像する電子写真装置（キャノン社製「ＰＣ−１２０」）で画像形成すると、連続２０００枚複写後も、きめ細かな画質で安定した画像形成が持続できたことが示されている。
３−３．甲第２号証の２について
《ク》甲第２号証の２には、キャノン社製電子写真装置「ＰＣ−１２０」が、有機光導電体上の静電潜像を現像剤で現像する電子写真装置であることが記載されている。
３−４．甲第３号証について
　甲第３号証には、
《ケ》「（１）酸化スズ−アンチモンの混合物で表面被覆された酸化チタンの微粒子及びトナー粒子を含有することを特徴とする電子写真用現像剤。」（特許請求の範囲第１項）、
《コ》「〔問題点を解決するための手段〕そこで、本発明者等は、普通紙複写機などで繰り返して用いた場合の白地部分のカブリの増加や、黒地部の均一性、濃度低下が起こらない耐久性のある現像剤を提供すべく鋭意検討した結果特定組成から成る金属化合物をトナー粒子に静電付着することにより前記問題点が解決されることを見い出し本発明に到達した。」（第１頁右下欄第１８行〜第２頁左上欄第９行）と記載され、
《サ》実施例１として、
スチレン樹脂結着剤とカーボンブラック着色剤とを含有する黒色トナー（平均粒子径１２μｍ）１００部に対して、酸化スズ−アンチモンの混合物で表面被覆された酸化チタンの微粒子（通常３μｍ以下、好ましくは０．０５〜１μｍ）（各成分重量比　酸化チタン：酸化スズ：アンチモン＝１００：６０：４．７）２部をヘンシェルミキサーにて外添処理して得られたトナー５重量部、及び、フッ素系樹脂コートキャリア（平均粒子径約７０μｍ）１００重量部の混合物からなる現像剤を調製し、有機光導電体を備えた電子写真装置で画像形成すると、連続１万枚複写後も、カブリや濃度低下が無く、黒地部均一性も高く、安定した画像形成が持続できたことが示されている。
３−５．甲第４号証について
　甲第４号証には、
《シ》オゾンの化学的性質について、常温で自然に分解して酸素になること、酸化マンガンや酸化鉛や白金粉末はその分解を促進すること等が記載されている。
３−６．甲第５号証について
　甲第５号証には、
《ス》酸化チタンが、光触媒活性半導体として注目され始めたこと（まえがき）、酸化チタンには、光増感電解酸化で水を分解する作用があり、特に、酸化チタン微粒子表面に、酸素発生に寄与する白金と、酸素発生に寄与する酸化ルテニウムとを部分被覆すると、その反応効率が上昇すること（第６９〜７１頁）、白色顔料として含有する塗料の塗膜は経年変化で白亜化（チョーキング）を起こすこと（第１６５頁）、酸化チタンを白色顔料として含有するアルキド塗料の塗膜の場合は、経時変化で黄変を起こすことがあり、特に、アンモニア雰囲気下では半暗室でも黄変が進行すること（第１０１頁）等が記載されている。
３−７．甲第６号証について
　甲第６号証には、
《セ》オゾンの化学的性質について、常温で自然に分解して酸素になること、酸化マンガンや酸化鉛や白金粉末はその分解を促進すること等が記載されている。
３−８．甲第７号証について
　甲第７号証には、
《ソ》「定着用樹脂結着剤、該結着剤当り１乃至３０重量％の着色剤及び０．５乃至２０重量％の酸化錫−酸化アンチモン系微粒子導電剤の組成物から成る電子写真用カラートナー。」（特許請求の範囲）、
《タ》「本発明において、酸化錫−酸化アンチモン系導電剤をカラートナー中に配合すると…この導電剤は無機酸化物から成るという組成上の特徴を有し、化学的にも熱的にも安定であり、かくして、この導電剤を配合したカラートナーは、熱、光、放電等の攻撃を受けた場合にも電気抵抗が安定して一定であり、また吸湿性が殆どなく、更に湿度変化にもかかわらず、電気抵抗が一定であるという利点が得られる。…この酸化錫−酸化アンチモン系導電剤としては、酸化錫−酸化アンチモンの組成を有するものの他に、この酸化錫−酸化アンチモンを他の無機微粒子担体、例えば二酸化チタン、シリカ、アルミナ、酸化亜鉛、ジルコニア、マグネシア等の表面に担持させたものをも用いることもできる。」（第２頁左上欄末行〜同頁左下欄第１９行）と記載され、
《チ》また、実施例２では、
スチレン系結着樹脂と赤色顔料、及び、二酸化チタン表面に酸化錫−酸化アンチモン系導電剤を担持させた粉体等から成る組成物を粉砕、分級して電子写真用赤色トナーを調製、三田工業社製「ＤＣ−Ａ２」複写機で複写することが示されている。
３−９．甲第７号証の２について
《ツ》甲第７号証の２には、三田工業社製複写機「ＤＣ−Ａ２」が、セレン光導電体上の静電潜像を現像剤で現像する電子写真装置であることが記載されている。
３−１０．甲第８号証について
　甲第８号証には、　
《テ》「微粉キャリヤーと微粉トナーと導電性微粒子とを有する電子写真用現像剤。」（特許請求の範囲）と記載され、
《ト》実施例１では、
スチレン系結着樹脂とカーボンブラックを含有するトナーに、酸化スズの導電性微粒子を外添、ついで鉄粉キャリヤーを混合して現像剤を調製、キャノン社製「ＮＰ−８５００」複写機で複写することが示されている。
３−１１．甲第９号証について
《ナ》甲第９号証は、　「電子写真感光体及び像形成方法」（発明の名称）に関するものであり、「感光体に対して正帯電を行うので、電子複写機にとって好都合であり、すなわち、コロナ放電の安定、オゾン発生量低下、感光体劣化減少、現像剤マッチングが容易であるなどの利点がある。」（第４頁右下欄第１〜５行）と記載され、
実施例１では、アルミ管に、電荷注入性を有する導電性粉体（酸化スズ−酸化アンチモン被覆の酸化チタン粉体）を分散した樹脂下引き層、電子供与性ヒドラゾン化合物を樹脂中に分散した電荷輸送層、ビスアゾ系光電荷発生物質を樹脂中に分散した電荷発生層を順次積層して電子写真感光体を調製したことが示されている。
３−１２．甲第１０号証について
《ニ》甲第１０号証には、　
「磁性粉および樹脂を含有してなる粒子の表面上に、導電性微粒子を付着させ、これに機械的な衝撃力を与えることにより、当該導電性微粒子を前記磁性体および樹脂を含有してなる粒子の表面層に打ち込んで保持させて…とする導電性磁性トナー。」（特許請求の範囲第１項）、
「前記導電性微粒子としては、特に限定されず公知の物質を用いることができ、例えば、導電性カーボンブラック（…）；酸化スズ、酸化アルミニウム、酸化亜鉛、酸化チタンおよび酸化鉄などの金属酸化物；などを用いることができる。」（第４頁右上欄第２〜７行）と記載され、
《ヌ》実施例１では、磁性粉とスチレン系樹脂とを溶融混練し粉砕して得た粉体に、導電性微粒子として導電性カーボンブラックを打ち込み保持させて調製した導電性磁性トナーを用い、セレン感光体装備の電子写真装置で複写画像を形成したことが示されている。
３−１３．甲第１１号証について
《ネ》甲第１１号証には、　
「静電潜像を表面に担持した潜像保持体と、層形成部材により所定厚み及び所定電荷量を付与せしめたトナー層を担持したトナー担持体とを現像部において接触状態もしくは一定の間隔を設けて非接触状態で対向配置し、前記トナー層のトナーを潜像保持体に移動せしめることにより可視像化する現像方法において、トナー層を形成するトナーが導電性粒子を含有していることを特徴とする現像方法。」（特許請求の範囲第１項）、
「これら導電性物質としては、金、銀、銅、アルミニウム、鉄、ニッケル等の金属粉末、酸化チタン、酸化亜鉛、酸化スズ、酸化アルミニウム、酸化鉄、フェライト等の金属酸化物、カーボンブラック、グラファイト等の無機物、…が使用できる。」（第３頁左上欄第３〜１２行）と記載され、
《ノ》実施例１では、スチレン系樹脂とカーボンブラックとを溶融混練し粉砕して得た粉体に、アンチモンドープ酸化スズの導電性粒子を外添して調製したトナーを用い、電子写真装置（富士ゼロックス社製ＦＸ２３００）で複写画像を形成したことが示されている。
３−１４．甲第１２号証について
《ハ》甲第１２号証には、電子写真用感光体には、有機光導電体や、アモルファスシリコン感光体、有機系感光体層の表面に表面保護層を付加した感光体などの種類があり、それぞれ、電子写真式複写機等で多用されていること、及び、
キャノン社製ＮＰ方式電子複写機では、表面保護層積層ＣｄＳ感光体が多用されており、また、乾式粉体トナー現像タイプや、湿式液体トナー現像タイプ等種々のものが開発されてきたことが示されている。
３−１５．甲第１３号証について
《ヒ》甲第１３号証は、「光変換素子」（発明の名称）に関するものであり、「本発明は光エネルギーによる物質の色変化を利用した光変換素子に関し、更に詳しくは、半導体の光触媒作用を利用した表示又は記憶機能を有する光変換素子に関する。」（第１頁左下欄第１５〜１８行）、
「また、光触媒層１２を構成する光触媒としては、…具体的には、Ｔｉ０２…などの金属酸化物；…ＧａＡｓなどの金属ヒ素化物；の半導体又はこれら半導体にＰｔ、Ｐｄ、Ｎｉなどを担特せしめたものをあげることができる。」（第２頁右下欄第９行〜第３頁左上欄第１行）と記載されている。
３−１６．甲第１４号証について
《フ》甲第１４号証は、「固定化光触媒」（発明の名称）に関するものであり、「本発明は、固定化光触媒、特に、有機物またはシアンを含む水の酸化分解および水素発生に有利に用いられる固定化光触媒に関する。」（第１頁右下欄第１６〜１８行）、
「本発明において、光触媒活性を有する物質としては、白金、パラジウム、ロディウムからなる添加剤（光触媒促進剤）が添加されているチタニウム酸化物、ならびにチタン酸ストロンチウムおよび硫化カドミウムをあげることができる。」（第２頁右上欄第１７行〜同頁左下欄第１行）、
「更に、本発明による固定化光触媒は水中に含まれる酢酸、フェノール、Ｐ．Ｃ．Ｂ．、有機ハロゲン等の有機物、シアンイオンを分解し処理することができるため、上水および下水排水処理ないし超純水の製造に利用することができる。更に、水中に微量含まれるＨｇ、Ｃｄなどの有害な重金属イオンの回収に用いることができる。チタニア光触媒の酸化力は非常に強いため、水中に存在する菌を殺すこともできる。」（第４頁右上欄第３〜１１行）と記載され、
実施例として、酸化チタン光触媒プレートを組み込んだ反応容器中に、メタノール水溶液を収容して、高圧水銀ランプから紫外線を照射すると、分解反応により水素ガスが発生したことが示されている。
３−１７．甲第１５号証について
《ヘ》甲第１５号証には、
「電場において光照射されている光触媒上に廃オゾン含有ガスを通ずることを特徴とする廃オゾンの処理方法。」（特許請求の範囲第１項）、
「オゾンはその殺菌力や酸化力が強いことから広い分野で利用されている。即ち、排水の高次処理などの水処理への利用、居住域や生産工程での脱臭への利用、食品の貯蔵や医療分野への利用など、表−１に示す如く広い分野で各種の用途に用いられている。しかし、一方ではオゾン利用後の未反応オゾン（廃オゾン）の放出の問題がある。…廃オゾンは、前述のようなオゾンの利用に際して放出される未反応のオゾンの他に、例えば複写機から発生するオゾン、或いは電子線加速器の利用等に際して発生するオゾン等があり、これらも廃オゾンとして同様な問題がある。」（第２頁右上欄第２〜６行）と記載され、
実施例１として、酸化チタン光触媒を負極チタン板上に固定、正極タングステン板と１．５ｍｍのギャップを介して対向させ２．０ＫＶを印加して電場を形成、さらに、水銀灯２０Ｗから紫外線が照射される空間（約２０ｃｍ長）に、５ｐｐｍのオゾンを含む空気を１００ｃｃ／分で流すと、出口でのオゾン濃度は、０．１２ｐｐｍに低減されていたことが示されている。
３−１８．甲第１６号証について
《ホ》甲第１６号証には、
「送風機と集塵部と活性炭層と光触媒層および紫外線を発生する電灯とを有し、前記電灯は光触媒層に対向して設け、前記活性炭層は光触媒層および電灯の風上側に設け、さらに前記集塵部は活性炭層の風上側に設けてなる空気清浄装置。」（特許請求の範囲第１項）、
「本発明は家庭やオフィス等で発生する臭気、たとえばトイレのし尿臭、ペットの臭い、たばこ臭、調理臭、体臭などを浄化する空気清浄装置に関するものである。」（第１頁左下欄第１７〜２０行）と記載され、
実施例１として、電気集塵装置に、紫外線照射ランプ、送風機、光触媒層（白金を担持したチタニアからなる）を組み合わせた空気清浄装置が示されている。
３−１９．甲第１７号証について
《マ》甲第１７号証には、
「(1)酸化チタンと酸化マンガンの混合金属酸化物と被酸化性化合物及び酸素を含む気体の存在下で前記混合金属酸化物に紫外線を照射する光触媒による脱臭方法。
(2)混合金属酸化物に導電性無機物質を担持した請求項１記載の光触媒による脱臭方法。」（特許請求の範囲請求項１〜２）、
「本発明は、トイレのし尿臭、ペットの臭い、たばこの臭い、調理臭および体臭などの家庭やオフィス等で発生する臭気の光触媒による脱臭方法に関するものである。」（第１頁左下欄第１３〜１６行）と記載され、
実施例２として、紫外線照射ランプ、送風機、光触媒プレート（白金微粒子を担持した酸化チタン／酸化マンガンからなる）を組み合わせた脱臭装置で、硫化水素ガスを分解して脱臭することが示されている。
３−２０．甲第１８号証について
《ミ》甲第１８号証には、
「(1)酸化イットリウムまたは酸化スズのいずれかと酸化チタンの混合金属酸化物と、被酸化性化合物及び酸素を含む気体の存在下で、前記混合金属酸化物に紫外線を照射する光触媒による脱臭方法。
(2)混合金属酸化物に導電性無機物質を担持した請求項１記載の光触媒による脱臭方法。」（特許請求の範囲請求項１〜２）、
「本発明は家庭やオフィス内の悪臭（調理臭、たばこ臭、体臭、ペット及びトイレの臭いなど）の脱臭方法に関するものである。」（第１頁左下欄第１４〜１６行）と記載され、
実施例２として、紫外線照射ランプ、送風機、光触媒プレート（白金微粒子を担持した酸化チタン／酸化イットリウムからなる）を組み合わせた脱臭装置で、アルデヒドガスを分解して脱臭することが示されている。
３−２１．甲第１９号証について
《ム》甲第１９号証には、
「金を添着下した金属酸化物と、被酸化性化合物および酸素を含む気体の存在下で、前記金属酸化物に紫外線を照射する光触媒による脱臭方法。」（特許請求の範囲）、
「本発明は家庭やオフィス内の悪臭（調理臭、たばこ臭、体臭、ペット及びトイレの臭いなど）の脱臭方法に関するものである。」（第１頁左下欄第１０〜１２行）と記載され、
実施例１として、紫外線照射ランプ、光触媒プレート（金を添着した酸化チタン粉末が表面に分散されたプレート）を組み合わせた脱臭装置で、アセトアルデヒドガスを分解して脱臭することが示されている。
４．対比・判断
４−１．特許法第２９条第１項第３号違反について
４−１−１．本件発明１について
・本件発明１と、甲第３号証の実施例１に記載された発明と対比するに、
後者の「酸化スズ−アンチモンの混合物で表面被覆された酸化チタンの微粒子」は、
「酸化チタン−酸化スズ」の金属酸化物系ｎ型半導体に、「アンチモン」金属が担持されたものであり、
後者の「スチレン樹脂」、「カーボンブラック」、「黒色トナー」、「酸化スズ−アンチモンの混合物で表面被覆された酸化チタンの微粒子」は、それぞれ、前者の「結着樹脂」、「着色剤」、「トナー」、「金属を担持したｎ型半導体微粒子」に相当するから、
両者は、「 少なくとも結着樹脂と着色剤を含有するトナーと外添剤として金属を担持したｎ型半導体微粒子を含有することを特徴とする電子写真用現像剤。」で一致するが、
担持される金属について、前者が「金、銀及びプラチナから選ばれる金属」と限定するのに対して、後者がその限定範囲外の「アンチモン」である点で明確に相違する。（前掲記載事項《ケ》〜《サ》参照）
・特許異議申立人が同一と主張する他の甲号各証（１〜２、７〜１１）記載の「電子写真用現像剤」のうち、外添剤の「『金属』を担持したｎ型半導体微粒子」まで示されているのは、甲第２号証だけであるが、その『金属』も「アンチモン」であるから、上記甲第３号証のものと同様の相違点がある。（前掲記載事項《エ》〜《キ》参照）
・上記以外の甲号各証（４〜６、１２〜１９及び２の２、７の２）は、「電子写真用現像剤」について何らの記載も示唆もないから、いずれも本件発明１と同一とはいえない。
　結局、本件発明１は、甲号各証にそれぞれ記載された発明のいずれとも相違するから、特許法第２９条第１項第３号の規定に違反して特許されたものとはいえない。
４−１−２．本件発明２について
・本件発明２と、甲第３号証の実施例１に記載された発明と対比するに、
後者の「酸化スズ−アンチモンの混合物で表面被覆された酸化チタンの微粒子」は、
「酸化チタン−酸化スズ」の金属酸化物系ｎ型半導体に、「アンチモン」金属が担持されたものであり、
後者の「スチレン樹脂」、「カーボンブラック」、「黒色トナー」、「酸化スズ−アンチモンの混合物で表面被覆された酸化チタンの微粒子」は、それぞれ、前者の「結着樹脂」、「着色剤」、「トナー」、「金属を担持したｎ型半導体微粒子」に相当するから、
両者は、「有機光導電体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。」で一致するが、
担持される金属について、前者が「金、銀及びプラチナから選ばれる金属」と限定するのに対して、後者がその限定範囲外の「アンチモン」である点［相違点Ａ］で明確に相違する。（前掲記載事項《ケ》〜《サ》参照）
・特許異議申立人が同一と主張する他の甲号各証（１〜２、７〜１１）記載の「電子写真用現像剤を用いた画像形成方法」のうち、外添剤の「『金属』を担持したｎ型半導体微粒子」まで示されているのは、甲第２号証だけである。
　本件発明２と、甲第２号証に記載された発明とを対比するに、後者の画像形成方法で使用される電子写真装置「ＰＣ−１２０」は、甲第２号証の２によれば「有機光導電体」であり、本件発明２と同じであるが、外添剤に担持される『金属』は「アンチモン」のみであるから、上記甲第３号証のものと同様の相違点がある。
・上記以外の甲号各証（４〜６、１２〜１９及び２の２、７の２）は、「電子写真用現像剤を用いた画像形成方法」について何らの記載も示唆もないから、いずれも本件発明２と同一とはいえない。
　結局、本件発明２は、甲号各証にそれぞれ記載された発明のいずれとも相違するから、特許法第２９条第１項第３号の規定に違反して特許されたものとはいえない。
４−１−３．本件発明３について
・本件発明３と、甲第３号証の実施例１に記載された発明と対比するに、
後者の「酸化スズ−アンチモンの混合物で表面被覆された酸化チタンの微粒子」は、
「酸化チタン−酸化スズ」の金属酸化物系ｎ型半導体に、「アンチモン」金属が担持されたものであり、
後者の「スチレン樹脂」、「カーボンブラック」、「黒色トナー」、「酸化スズ−アンチモンの混合物で表面被覆された酸化チタンの微粒子」は、それぞれ、前者の「結着樹脂」、「着色剤」、「トナー」、「金属を担持したｎ型半導体微粒子」に相当するから、
両者は、「感光体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。」で一致するが、
担持される金属について、前者が「金、銀及びプラチナから選ばれる金属」と限定するのに対して、後者がその限定範囲外の「アンチモン」である点［相違点Ａ］、及び、
感光体について、前者が「アモルファスシリコン感光体」と限定するのに対して、後者が「有機感光体」である点［相違点Ｂ］で明確に相違する。（前掲記載事項《ケ》〜《サ》参照）
・特許異議申立人が同一と主張する他の甲号各証（１〜２、７〜１１）記載の「電子写真用現像剤を用いた画像形成方法」のうち、外添剤の「『金属』を担持したｎ型半導体微粒子」まで示されているのは、甲第２号証だけであるが、その『金属』も「アンチモン」であるから、上記甲第３号証のものと同様の相違点［相違点Ａ］がある。
　また、甲第２号証の「画像形成方法」で示される「感光体」は、甲第２号証の２を参酌しても、「有機感光体」のみであるから、やはり、上記甲第３号証のものと同様の相違点［相違点Ｂ］がある。
・上記以外の甲号各証（４〜６、１２〜１９及び２の２、７の２）は、「電子写真用現像剤を用いた画像形成方法」について何らの記載も示唆もないから、いずれも本件発明３と同一とはいえない。
　結局、本件発明３は、甲号各証にそれぞれ記載された発明のいずれとも相違するから、特許法第２９条第１項第３号の規定に違反して特許されたものとはいえない。
４−１−３．本件発明４について
・本件発明４と、甲第３号証の実施例１に記載された発明と対比するに、
後者の「酸化スズ−アンチモンの混合物で表面被覆された酸化チタンの微粒子」は、
「酸化チタン−酸化スズ」の金属酸化物系ｎ型半導体に、「アンチモン」金属が担持されたものであり、
後者の「スチレン樹脂」、「カーボンブラック」、「黒色トナー」、「酸化スズ−アンチモンの混合物で表面被覆された酸化チタンの微粒子」は、それぞれ、前者の「結着樹脂」、「着色剤」、「トナー」、「金属を担持したｎ型半導体微粒子」に相当するから、
両者は、「感光体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。」で一致するが、
担持される金属について、前者が「金、銀及びプラチナから選ばれる金属」と限定するのに対して、後者がその限定範囲外の「アンチモン」である点［相違点Ａ］、及び、
感光体について、前者が「表面保護層を有する」と限定するのに対して、後者が限定しない点［相違点Ｃ］で明確に相違する。（前掲記載事項《ケ》〜《サ》参照）
・特許異議申立人が同一と主張する他の甲号各証（１〜２、７〜１１）記載の「電子写真用現像剤を用いた画像形成方法」のうち、外添剤の「『金属』を担持したｎ型半導体微粒子」まで示されているのは、甲第２号証だけであるが、その『金属』も「アンチモン」であるから、上記甲第３号証のものと同様の相違点［相違点Ａ］がある。
　また、甲第２号証の「画像形成方法」で示される「感光体」は、甲第２号証の２を参酌しても、「有機感光体」のみであるから、やはり、上記甲第３号証のものと同様の相違点［相違点Ｃ］がある。
・上記以外の甲号各証（４〜６、１２〜１９及び２の２、７の２）は、「電子写真用現像剤を用いた画像形成方法」について何らの記載も示唆もないから、いずれも本件発明４と同一とはいえない。
　結局、本件発明４は、甲号各証にそれぞれ記載された発明のいずれとも相違するから、特許法第２９条第１項第３号の規定に違反して特許されたものとはいえない。
４−２．特許法第２９条第２項違反について
４−２−１．本件発明１について
　本件発明１と、甲第３号証ないし甲第２号証に記載の発明との相違点は、上記４−１−１で示したとおり、それら甲号証では、現像剤用外添剤として、ｎ型半導体微粒子に「金、銀及びプラチナから選ばれる金属を担持させた」ことが記載されていない点にある。
  該相違点について検討するに、甲第１３〜１９号証には、それぞれ、ｎ型半導体微粒子としての酸化チタンに「金やプラチナを担持した」ものが、オゾンガスや悪臭成分ガスを分解・脱臭する「光触媒」機能を有することが一応示されているが、
該「光触媒」機能の発現には、金やプラチナを担持した酸化チタンを、プレート上に固定して、紫外線照射や電場形成により継続的にエネルギーを付与し続けることが必須とされており（前掲記載事項《ヒ》〜《ム》参照）、プレート上に固定されず継続的なエネルギー供給を得られない微粒子形態の「金やプラチナを担持した酸化チタン」についてまで、「光触媒」の有用な機能をもつとの記載や示唆はないし、現像剤や現像剤用外添剤への応用可能性についての記載や示唆も一切ない。
  一方、甲第３号証ないし甲第２号証の発明では、「アンチモン担持の酸化チタン・酸化スズ」の微粒子が、現像剤に外添されると、その導電機能によって、現像剤トナー粒子の流動性を高めて、画像形成の安定化をもたらすと認識されており（前掲記載事項《オ》参照）、該微粒子の光触媒機能の検討や認識は全くない。
  してみると、甲第３号証ないし甲第２号証の「現像剤」に、甲第１３〜１９号証の「脱臭装置」等を結び付けるには、そもそも技術分野の相違から無理があり、仮に、両者を結び付けても、甲第３号証ないし甲第２号証の「アンチモン担持の酸化チタン・酸化スズ」を、機能や形態の相違する甲第１３〜１９号証の「金やプラチナを担持した酸化チタン」で置換することには無理があり、「金やプラチナを担持した酸化チタン」の微粒子を外添剤として含有する現像剤の構成が当業者にとって容易とはいえない。
　そして、本件発明１は、上記相違点に係る構成により、「複写機から発生するオゾン量を低減させる」、「有機感光体の高耐久性が達成できる」、「高湿時の像流れの防止が図られる」（発明の効果欄）という明細書記載の顕著な効果を奏するものである。
　従って、本件発明１は、甲号各証の記載に基づいて、当業者が容易に発明し得たものとはいえず、特許法第２９条第２項の規定に違反して特許されたものとはいえない。
４−２−２．本件発明２〜４について
・本件発明２乃至４と、甲第３号証ないし甲第２号証に記載の発明との相違点の一つは、上記４−１−２〜４−１−２で検討したとおり、それら甲号証では、現像剤用外添剤として、ｎ型半導体微粒子に「金、銀及びプラチナから選ばれる金属を担持させた」ものが記載されていない点［相違点Ａ］にある。
  該［相違点Ａ］について検討するに、甲第１３〜１９号証には、それぞれ、「金やプラチナを担持した酸化チタン」が、オゾンガスや悪臭成分ガスを分解・脱臭する「光触媒」機能を有することが一応示されているが、
該「光触媒」機能の発現には、金やプラチナを担持した酸化チタンを、プレート上に固定して、紫外線照射や電場形成により継続的にエネルギーを付与し続けることが必須とされており（前掲記載事項《ヒ》〜《ム》参照）、プレート上に固定されず継続的なエネルギー供給を得られない微粒子形態の「金やプラチナを担持した酸化チタン」についてまで、「光触媒」の有用な機能をもつとの記載や示唆はないし、現像剤や現像剤用外添剤への応用可能性についての記載や示唆も一切ない。
  一方、甲第３号証ないし甲第２号証の発明では、「アンチモン担持の酸化チタン・酸化スズ」の微粒子が、現像剤に外添されると、その導電機能によって、現像剤トナー粒子の流動性を高めて、画像形成の安定化をもたらすと認識されており（前掲記載事項《オ》参照）、該微粒子の光触媒機能の検討や認識は全くない。
  してみると、甲第３号証ないし甲第２号証の「現像剤を用いた画像形成方法」に、甲第１３〜１９号証の「脱臭装置」等を結び付けるには、そもそも技術分野の相違から無理があり、仮に、両者を結び付けても、甲第３号証ないし甲第２号証の「アンチモン担持の酸化チタン・酸化スズ」を、機能や形態の相違する甲第１３〜１９号証の「金やプラチナを担持した酸化チタン」で置換することには無理があり、「金やプラチナを担持した酸化チタン」の微粒子を外添剤として含有する現像剤を用いた画像形成方法の構成が当業者にとって容易とはいえない。
　そして、本件発明２乃至４は、上記相違点に係る構成により、「複写機から発生するオゾン量を低減させる」、「有機感光体の高耐久性が達成できる」、「高湿時の像流れの防止が図られる」（発明の効果欄）という明細書記載の顕著な効果を奏するものである。
　従って、本件発明２乃至４は、いづれも甲号各証の記載に基づいて、当業者が容易に発明し得たものとはいえず、特許法第２９条第２項の規定に違反して特許されたものとはいえない。
５．むすび
　以上のとおりであり、特許異議申立の理由及び証拠によっては、本件請求項１〜４に係る発明の特許を取り消すことはできない。
 また、他に本件発明の特許を取り消すべき理由を発見しない。
　よって、結論のとおり決定する。
【異議決定日】
平成１４年７月２９日（２００２．７．２９）
【訂正の要旨】
訂正の要旨
　特許第３１５６８６１号発明の特許明細書を　下記のとおり訂正する。
ａ．特許請求の範囲の減縮を目的として、特許請求の範囲
「「【請求項１】　少なくとも結着樹脂と着色剤を含有するトナーと外添剤として金属を担持したｎ型半導体微粒子を含有することを特徴とする電子写真用現像剤。
　【請求項２】　有機光導電体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。
　【請求項３】　アモルファスシリコン感光体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。
　【請求項４】　表面保護層を有する感光体上に静電潜像を形成し、少なくとも結着樹脂と着色剤を含有するトナーと外添剤として金属を担持したｎ型半導体微粒子を含有する電子写真用現像剤で該静電潜像を顕像化することを特徴とする画像形成方法。」を
「【請求項１】　少なくとも結着樹脂と着色剤を含有するトナーと外添剤として金、銀及びプラチナから選ばれる金属を担持したｎ型半導体微粒子を含有することを特徴とする電子写真用現像剤。
　【請求項２】　有機光導電体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。
　【請求項３】　アモルファスシリコン感光体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。
　【請求項４】　表面保護層を有する感光体上に静電潜像を形成し、少なくとも結着樹脂と着色剤を含有するトナーと外添剤として金、銀及びプラチナから選ばれる金属を担持したｎ型半導体微粒子を含有する電子写真用現像剤で該静電潜像を顕像化することを特徴とする画像形成方法。」と訂正する。
ｂ．明瞭でない記載の釈明を目的として、明細書の第４段落
「【課題を解決するための手段】本発明によれば、少なくとも結着樹脂と着色剤を含有するトナーと外添剤として金属を担持したｎ型半導体微粒子を含有することを特徴とする電子写真用現像剤が提供される。…」を
「【課題を解決するための手段】本発明によれば、少なくとも結着樹脂と着色剤を含有するトナーと外添剤として金、銀及びプラチナから選ばれる金属を担持したｎ型半導体微粒子を含有することを特徴とする電子写真用現像剤が提供される。…」と訂正する。
ｃ．明瞭でない記載の釈明を目的として、明細書の第５段落
「…担持される金属としては金や銀、プラチナなどが好適である。担持方法としては…光触媒法が好適である。これは、金や銀、プラチナなどの金属イオンを含む水溶液中に酸化チタンなどのｎ型半導体微粒子を分散させ、少量のアルコールを添加した後、紫外線を照射して微粒子上に金属を担持させるものである。…」を
「…担持される金属としては金や銀、プラチナである。担持方法としては…光触媒法が好適である。これは、金や銀、プラチナの金属イオンを含む水溶液中に酸化チタンなどのｎ型半導体微粒子を分散させ、少量のアルコールを添加した後、紫外線を照射して微粒子上に金属を担持させるものである。…」と訂正する。
（５４）【発明の名称】
電子写真用現像剤
（５７）【特許請求の範囲】
　【請求項１】　少なくとも結着樹脂と着色剤を含有するトナーと外添剤として
金、銀及びプラチナから選ばれる
　【請求項２】　有機光導電体上に静電潜像を形成し、少なくとも結着樹脂と着色剤を含有するトナーと外添剤として
金、銀及びプラチナから選ばれる
　【請求項３】　アモルファスシリコン感光体上に静電潜像を形成し、少なくとも結着樹脂と着色剤を含有するトナーと外添剤として
金、銀及びプラチナから選ばれる
　【請求項４】　表面保護層を有する感光体上に静電潜像を形成し、少なくとも結着樹脂と着色剤を含有するトナーと外添剤として
金、銀及びプラチナから選ばれる
【発明の詳細な説明】
　【０００１】
　【産業上の利用分野】
　本発明は、複写機内部で発生するオゾン量を低減する効果のある現像剤に関するものである。また、有機光導電体より構成される感光体を用いる電子写真プロセスにおいて、その有機光導電体の高耐久化をはかる画像形成方法に関するものである。
　さらに、アモルファスシリコンからなる感光体を用いる電子写真プロセスや表面保護層を有する感光体を用いる電子写真プロセスにおいて、環境安定性をはかる画像形成方法に関するものである。
　【０００２】
　【従来の技術】
　近年、複写機・プリンターなどのＯＡ機器が普及するにつれ、それらが発生するオゾンやＮＯｘなどの有害ガスが問題となっている。最近、特に多く使用される有機光導電体より構成される感光体においては、一般的にホール輸送型でありオゾン発生量の多い負帯電で使用されるため、オゾンやＮＯｘなどの有害ガスの発生が重大な問題となっている。さらに、有機光導電体は発生したオゾンやＮＯｘなどにより静電特性が劣化することが知られている。これを解決するために、特開平２−１３５３６５に酸化防止剤を含有するトナーと有機光導電体を組合せた特許が出願されているが効果は充分ではない。また、アモルファスシリコンからなる感光体や特開昭５３−３３３８や特開昭５７−３０８４６に示される表面保護層を有する感光体は高耐久性であることが知られているが、多数枚複写を行うとその表面にオゾンやＮＯｘ由来の硝酸イオンやアンモニウムイオンが付着し高湿環境では表面抵抗が下がり画像流れが生じることが知られている。
　【０００３】
　【発明が解決しようとする課題】
　本発明は、上述した技術的背景に基づいてなされたものであって、その目的はオゾン発生量を低減させることができる現像剤を提供することにある。
　また、有機光導電体より構成される感光体を用いる電子写真プロセスにおいて、その有機光導電体の高耐久化を目的としている。さらに、アモルファスシリコンからなる感光体を用いる電子写真プロセスや表面保護層を有する感光体を用いる電子写真プロセスにおいて、高湿時の像流れの防止を目的としている。
　【０００４】
　【課題を解決するための手段】
　本発明によれば、少なくとも結着樹脂と着色剤を含有するトナーと外添剤として
金、銀及びプラチナから選ばれる
　本発明に用いられるｎ型半導体微粒子としては、酸化チタン、酸化亜鉛、水酸化チタン、水酸化亜鉛、酸化錫、硫化カドミウム、酸化タングステンなどが使用できるが酸化チタンが好適である。
　【０００５】
　本発明に用いられる酸化チタンとしては、硫酸法と塩素法により製造されたものがあり、ルチル型、アナターゼ型、アモルファス及びその混合型全てが使用可能である。酸化チタンの例としては、Ｐ−２５（Ｄｅｇｕｓｓａ社製）；ＩＴ−Ｓ、ＩＴ−ＰＢ、ＩＴ−ＰＣ（いずれも出光興産社製）；Ｒ−８２０、Ｒ−８３０、Ｒ−６８０、ＣＲ−５０、ＣＲ−６０、Ａ−１００、Ａ−２２０（いずれも石原産業社製）；ＪＡ−１、ＪＡ−２、ＪＲ、ＪＲＮＣ、ＪＲ６００Ｅ、ＭＴ−１５０Ｗ、ＭＴ−５００Ｂ、ＭＴ−６００Ｂ（いずれもテイカ社製）等がある。
　担持される金属としては金や銀、プラチ
ナで
ナの
　これらは、担持した金属の部分でオゾンなどを還元し、半導体表面でアンモニウムイオンなどの有機物を酸化分解することが知られている。また、これらは暗所においても効果があるが、転写前露光など光照射をおこなうとさらに高い効果が有ることが知られている。
　【０００６】
　次に本発明のトナーに用いられる他の材料について説明する。
　本発明で用いられる結着樹脂としては、これまで、トナー用結着樹脂として使用してきたものの全てが適用できる。具体的には、ポリスチレン、ポリクロロエチレン、ポリビニルトルエンなどのスチレン及びその置換体の単量体；スチレン−Ｐクロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジェン共重合体、スチレン−イソプレン共重合体、スチレン−アクリロニトリル−インデン共重合体、スチレン−マレイン酸共重合体、スチレン−マレイン酸エステル共重合体などのスチレン系共重合体；ポリメチルメタクリレート、ポリブチルメタクリレート、ポリ塩化ビニル、ポリ酢酸ビニル、ポリエチレン、ポリプロピレン、ポリエステル、ポリビニルブチルブチラール、ポリアクリル酸樹脂、ロジン、変性ロジン、テルペン樹脂、フェノール樹脂、脂肪族または、脂環族炭化水素樹脂、芳香族系石油樹脂、塩素化パラフィンワックス、パラフィンワックスなどがあげられ、これらは、単独で或いは２種以上混合して使用してもよい。
　【０００７】
　また本発明で用いられる顔料及び染料は、従来から使用されてきた顔料、染料、極性制御剤の全てが適用できる。具体的には、群青、ニグロシン染料、アニリンブルー、カルコオイルブルー、デュポンオイルレッド、キノリンイエロー、メチレンブルークロリド、フタロシアニンブルー、フタロシアニングリーン、ローダミン６Ｃレーキ、キナクリドン、ベンジジンイエロー、マラカナイドグリーン、ハンザイエローＧ、マラカイドグリーンヘキサレート、オイルブラック、アゾオイルブラック、ローズベンガル、モノアゾ系染顔料、ジスアゾ系染顔料、トリスアゾ系染顔料、４級アンモニウム塩、サリチル酸及びサリチル酸誘導体の金属塩、及びそれらの混合物が挙げられる。
　【０００８】
　離型剤としては、低分子量のポリエチレン、ポリプロピレン等の合成ワックス類の他、キャンデリラワックス、カルナウバワックス、木ロウ、ホホバ油などの植物系ワックス類、ミツロウ、ラノリン、鯨ロウ等の動物系ワックス類、モンタンワックス、オゾケライトなどの鉱物系ワックス、硬化ヒマシ油、ヒドロキシステアリン酸、脂肪酸アミド、フェノール脂肪酸エステルなどの油脂系ワックス類などが挙げられる。また、本発明のトナーには、上記成分の他に必要に応じてトナーの熱特性、電気特性、物理特性などを調整する目的で価格手の可塑剤（フタル酸ジブチル、フタル酸ジオクチルなど）、抵抗調整剤（酸化スズ、酸化鉛、酸化アンチモンなど）等の助剤を添加することも可能である。
　【０００９】
　【実施例】
　以下に本発明で使用される微粉末の処理方法及び、それを用いた現像剤について製造例、実施例によって具体的に説明するが、本発明はこれに限定されるものではない。なお、部数はすべて重量部である。
　【００１０】
製造例１
　１００ｍｌのフラスコ中に、１１０℃で２４時間乾燥させた０．５ｇの酸化チタン（テイカ社製ＭＴ−１５０Ｗ）を５０ｍｌの硫酸銀水溶液に分散させ、さらにイソプロパノールを０．３ｇ加えた。得られた懸濁液を３０分アルゴンガスでパージし、５時間紫外線を照射した。その後、懸濁液を吸引濾過し、濾過物を希硝酸で洗浄し、１１０℃で４時間乾燥を行なった。それをメノー乳鉢で粉砕し粉末状物質を得た。
　【００１１】
製造例２
　１００ｍｌのフラスコ中に、１１０℃で２４時間乾燥させた０．５ｇの酸化チタン（日本アエロジル社製Ｐ−２５）を５０ｍｌの硫酸銀水溶液に分散させ、さらにイソプロパノールを０．３ｇ加えた。得られた懸濁液を３０分アルゴンガスでパージし、５時間紫外線を照射した。その後、懸濁液を吸引濾過し、濾過物を希硝酸で洗浄し、１１０℃で４時間乾燥を行なった。それをメノー乳鉢で粉砕し粉末状物質を得た。
　【００１２】
製造例３
　１００ｍｌのフラスコ中に、１１０℃で２４時間乾燥させた０．５ｇの酸化チタン（テイカ社製ＭＴ−１５０Ｗ）を５０ｍｌのヘキサクロロ白金酸水溶液に分散させ、さらにイソプロパノールを０．３ｇ加えた。得られた懸濁液を３０分アルゴンガスでパージし、５時間紫外線を照射した。その後、懸濁液を吸引濾過し、濾過物を希硝酸で洗浄し、１１０℃で４時間乾燥を行なった。それをメノー乳鉢で粉砕し粉末状物質を得た。
　【００１３】
実施例１
　　スチレン−ｎ−ブチルメタアクリレート共重合体　　　　　　　　１００部
　　カーボンブラック　　　　　　　　　　　　　　　　　　　　　　　１０部
　　ボントロンＥ−８４（荷電制御剤、オリエント化学製）　　　　　　　３部
をヘンシェルミキサー中で充分攪拌したのちロールミルで１３０〜１４０℃の温度で約３０分間加熱溶融し、これを、室温まで冷却した。この混練物を粉砕分級し５〜１０μｍの粒径のトナーを得た。本トナー１００重量部に対して、製造例１の酸化チタン微粉末０．５重量部および疎水性シリカ微粉末Ｈ２０００（ヘキストジャパン製）０．５重量部を添加してトナーとした。
　アルミ素管に以下に示すＣＧＭ（化１）２．５部とブチラール樹脂１部を約０．１μｍ、以下に示すＣＴＭ（化２）１部とポリカーボネート樹脂１部を約２０μｍ積層させた感光体をリコー社製ＬＰ１０６０に装着し、排気ファンを止め上記トナーを用いて５０００枚通紙を行なったが、地汚れもなく高濃度の画像が維持できた。また、プリンター内部のオゾン濃度は１１５０ｐｐｂであった。
　【化１】
　【化２】
　本トナー３部に対し、シリコーン樹脂を被覆した１００〜２５０メッシュのフェライトキャリア９７部とをボールミルで混合し、２成分系現像剤を得た。アルミ管に５０μｍのセレン砒素蒸着膜と酸化錫が分散した硬化性ポリウレタン樹脂５μｍを積層させた感光体をリコー社製リコピーＦＴ７３７０に装着し排気ファンを止め上記トナーを用いて５０００枚通紙を行なったところ、内部のオゾン濃度は７５０ｐｐｂであった。さらに、このまま３０℃、９０％の環境下で画像を出したが、画像流れなど生ぜず鮮明な画像が得られた。表面にａ−Ｓｉ：Ｈ（ｉ）層を有する１０μｍの厚みを持つａ−Ｓｉ：Ｈ（Ｐ）感光体をリコー社製リコピーＦＴ７３７０に装着し排気ファンを止め、上記トナーを用いて５０００枚通紙を行なったところ、内部のオゾン濃度は８００ｐｐｂであった。さらに、このまま３０℃、９０％の環境下で画像を出したが画像流れなど生ぜず鮮明な画像が得られた。
　【００１４】
実施例２
　　ポリエステル樹脂（数平均分子量Ｍｎ＝５０００，重量平均分子量Ｍｗ＝５５０００，ガラス転移点Ｔｇ＝６２℃）
　　　　　　　　　　　　　　　　　　　　　　　　　　　　　　　　１００部
　　カーボンブラック　　　　　　　　　　　　　　　　　　　　　　　　６部
　　ボントロンＥ−８４（荷電制御剤、オリエント化学製）　　　　　　　３部
よりなる組成の混合物をヘンシェルミキサーで充分混合したのち、２本ロールで８０〜９０℃の温度で約４０分間加熱溶融、混練し、室温まで冷却した。得られた混練物を粉砕、分級して粒径５〜１０μｍのトナーを得た。本トナー１００部に対して、製造例２の酸化チタン０．５部及び疎水性シリカ微粉末Ｈ２０００（ヘキストジャパン製）０．５重量部を添加してトナーとした。実施例１と同様にＬＰ１０６０で評価したところ地汚れもなく高濃度の画像が維持できた。また、プリンター内部のオゾン濃度は１１５０ｐｐｂであった。
　トナー３部に対し、シリコーン樹脂を被覆した１００〜２５０メッシュのフェライトキャリア９７部とをボールミルで混合し、２成分系現像剤を得た。実施例１と同様に表面保護層を有する感光体を、リコー社製リコピーＦＴ７３７０に装着し評価を行なったところ、内部のオゾン濃度は８５０ｐｐｂで、３０℃、９０％の環境下で画像も画像流れなど生ぜず鮮明な画像であった。さらに、実施例１と同様にアモルファスシリコンからなる感光体を、リコー社製リコピーＦＴ７３７０に装着し評価を行なったところ、内部のオゾン濃度は９００ｐｐｂで、３０℃、９０％の環境下で画像も画像流れなど生ぜず鮮明な画像であった。
　【００１５】
実施例３
　　スチレン−アクリル系重合体　　　　　　　　　　　　　　　　　　９５部
　　低分子量ポリプロピレン　　　　　　　　　　　　　　　　　　　　　５部
　　カーボンブラック　　　　　　　　　　　　　　　　　　　　　　　　８部
　　ボントロンＳ−３４（荷電制御剤、オリエント化学社製）　　　　　　３部
よりなる組成の混合物をヘンシェルミキサーで充分混合したのち、２本ロールで８０〜９０℃の温度で約４０分間加熱溶融、混練し、室温まで冷却した。得られた混練物を粉砕、分級して粒径５〜１０μｍのトナーを得た。本トナー１００部に対して、製造例２の酸化チタン０．５部及び疎水性シリカ微粉末Ｈ２０００（ヘキストジャパン製）０．５重量部を添加してトナーとした。実施例１と同様にＬＰ１０６０評価したところ地汚れもなく高濃度の画像が維持できた。またプリンター内部のオゾン濃度は１２５０ｐｐｂであった。
　本トナー３部に対し、シリコーン樹脂を被覆した１００〜２５０メッシュのフェライトキャリア９７部とをボールミルで混合し、２成分系現像剤を得た。実施例１と同様に表面保護層を有する感光体を、リコー社製リコピーＦＴ７３７０に装着し評価を行なったところ、内部のオゾン濃度は８００ｐｐｂで、３０℃、９０％の環境下で画像も画像流れなど生ぜず鮮明な画像であった。さらに、実施例１と同様にアモルファスシリコンからなる感光体を、リコー社製リコピーＦＴ７３７０に装着し評価を行なったところ、内部のオゾン濃度は８５０ｐｐｂで、３０℃、９０％の環境下で画像も画像流れなど生ぜず鮮明な画像であった。
　【００１６】
実施例４
　　ポリエステル樹脂（数平均分子量Ｍｎ＝５０００，重量平均分子量Ｍｗ＝５５０００，ガラス転移点Ｔｇ＝６２℃）
　　　　　　　　　　　　　　　　　　　　　　　　　　　　　　　　１００部
　　カーボンブラック　　　　　　　　　　　　　　　　　　　　　　　　６部
　　ＴＰ−３０２（荷電制御剤、保土ケ谷化学製）　　　　　　　　　　　３部
よりなる組成の混合物をヘンシェルミキサーで充分混合したのち、２本ロールで８０〜９０℃の温度で約４０分間加熱溶融、混練し、室温まで冷却した。得られた混練物を粉砕、分級して粒径５〜１０μｍのトナーを得た。本トナー１００部に対して、製造例１の酸化チタン０．５部及び疎水性シリカ微粉末ＨＶＫ２１（ヘキストジャパン製）０．５重量部を添加してトナーとした。さらにトナー３部に対し、シリコーン樹脂を被覆した１００〜２５０メッシュのフェライトキャリア９７部とをボールミルで混合し、２成分系現像剤を得た。表面保護層を有する感光体を帯電部などを改良したリコー社製イマジオ４２０に装着し評価を行なったところ、内部のオゾン濃度は７５０ｐｐｂで、３０℃、９０％の環境下で画像も画像流れなど生ぜず鮮明な画像であった。
　【００１７】
比較例１
　製造例１の添加剤を省略した以外は実施例１と同一のトナーを作成し実施例１と同一の評価を行なったところ、ＬＰ１０６０では２７００枚で地汚れが発生し、画像濃度の低下も見られた。また、プリンター内部のオゾン濃度は２５００ｐｐｂであった。表面保護層を有する感光体を、リコー社製リコピーＦＴ７３７０に装着し評価を行なったところ、内部のオゾン濃度は２０５０ｐｐｂで、３０℃、９０％の環境下では画像流れが生じ文字の判読はほとんど不能であった。さらに、実施例１と同様にアモルファスシリコンからなる感光体を、リコー社製リコピーＦＴ７３７０に装着し評価を行なったところ、内部のオゾン濃２１００ｐｐｂで、３０℃、９０％の環境下では画像流れが生じ文字の判読はほとんど不能であった。
比較例２
　製造例２の添加剤の代わりに以下に示す添加剤を加えた以外は実施例２と同一のトナーを作成して実施例１と同一の評価を行なったところ、ＬＰ１０６０では７５０００枚で地肌汚れが発生し、画像濃度の低下も見られた。また、プリンター内部のオゾン濃度は２３００ｐｐｂであった。表面保護層を有する感光体を、リコー社製リコピーＦＴ７３７０に装着し評価を行なったところ、内部のオゾン濃度は１９００ｐｐｂで、３０℃、９０％の環境下では画像流れが生じ文字の判読はほとんど不能であった。さらに、実施例１と同様にアモルファスシリコンからなる感光体を、リコー社製リコピーＦＴ７３７０に装着し評価を行なったところ、内部のオゾン濃度は１８００ｐｐｂで、３０℃、９０％の環境下では画像流れが生じ文字の判読はほとんど不能であった。
　【化３】
　【化４】
　【発明の効果】
　本発明のトナーは複写機やプリンターから発生するオゾン量を低減させることができる上、有機光導電体より構成される感光体を用いる電子写真プロセスにおいては、その有機光導電体の高耐久性が達成できる。
　さらに、アモルファスシリコンからなる感光体を用いる電子写真プロセスや表面保護層を有する感光体を用いる電子写真プロセスにおいては、高湿時の像流れの防止が図られる。